(57)【特許請求の範囲】
【請求項１】
梁部材に支持された歩廊用床板の端部近傍部に沿うように配設されるキックプレートを、梁部材に固定された手摺用支柱に取り付ける為のキックプレート用取付金具において、  前記キックプレートを上側から差し込んで鉛直姿勢に保持可能なプレート保持部と、このプレート保持部に一端が固着されて前記手摺用支柱側へ所定長さ延びる本体部とを有するプレート取付体と、
前記プレート取付体を前記手摺用支柱に前記プレート保持部と直交する水平な第１方向と、前記手摺用支柱と平行な鉛直な第２方向とに位置調節可能に前記本体部を介して固定解除可能に固定する為の固定機構とを備え、
前記固定機構は、前記本体部に前記第１方向へ延びるように形成された水平スリットと、前記手摺用支柱にＵ形部を外嵌させて１対の脚部を前記水平スリットに挿入されたＵボルトと、前記本体部に対して前記手摺用支柱と反対側で前記１対の脚部に螺合される１対のナットとを備えたことを特徴とするキックプレート用取付金具。
【請求項２】
前記プレート保持部は、キックプレートを挟み込む鉛直な１対の板状部を有し、
前記１対の板状部の一方に形成されたネジ孔と、このネジ孔に貫通状に螺合されて前記１対の板状部の他方にキックプレートを押圧可能なボルト部材とを備えたことを特徴とする請求項１に記載のキックプレート用取付金具。
【発明の詳細な説明】
【技術分野】
【０００１】
本発明は、歩廊用床板の端部近傍部に沿うように配設されるキックプレートを手摺用支柱に取り付ける為のキックプレート用取付金具に関する。
【背景技術】
【０００２】
従来、例えば、図９に示すように、工場や建設現場等で用いられる枠組足場１００は、複数の梁部材１０１、複数の梁部材１０１に支持された複数の歩廊用床板１０２、枠組足場１００の外端側に位置する梁部材１０１に固定された複数の支柱１０３ａ（手摺用支柱１０３ａ）を有する手摺１０３等により形成され、歩廊用床板１０２から作業者が転落したり工具等の部品が落下したりするのを防止するために、複数の手摺用支柱１０３ａが固定された梁部材１０１上に、複数のキックプレート１０４が鉛直姿勢に配設され、複数の手摺用支柱１０３ａに溶接されている。
【０００３】
しかし、歩廊用床板１０２や手摺１０３の構造や組立て施工の誤差等によって、手摺用支柱１０３ａに溶接されたキックプレート１０４と歩廊用床板１０２との間に比較的大きな隙間が生じることがあり、そうなると、梁部材１０１と歩廊用床板１０２との段差により安全性の面で問題が生じる。ここで、特許文献１には、幅木（キックプレート）と足場板（歩廊用床板）との間に隙間を生じさせないように、幅木を手摺用支柱に取り付け可能な幅木固定用金具が開示されている。
【０００４】
この幅木固定用金具では、手摺用支柱に固定されたクランプから、ロッド状の部材を曲げて形成された幅木支持部材が足場板側へ傾斜状に延び、幅木は幅木支持部材に形成された幅木受部に挿入されて、幅木支持部材に装着されたストッパプレート及び蝶ネジにより固定される。手摺用支柱と足場板間の間隔に応じて、クランプの固定位置、及び幅木支持部材の傾斜角度を調節し、幅木を幅木支持部材と共に傾斜姿勢にして足場板上に配設して、手摺用支柱に取り付けることができる。
【先行技術文献】
【特許文献】
【０００５】
【特許文献１】特開２０１１−６８７７号公報
【発明の概要】
【発明が解決しようとする課題】
【０００６】
図９に示す枠組足場では、前記のように、手摺用支柱に溶接されたキックプレートと歩廊用床板との間に比較的大きな隙間が生じることがある他、その溶接によってキックプレートを含む枠組足場の組立／解体の作業負荷が大きくなること、キックプレートが溶接変形する虞があること、キックプレートの損傷等による取り換えに手間がかかること、等の問題がある。
【０００７】
特許文献１の幅木固定用金具では、幅木と足場板との間に隙間を生じさせないように、幅木を手摺用支柱に取り付け可能であるが、幅木は傾斜姿勢で取り付けられるため、足場板から作業者が転落したり工具等の部品が落下したりするのを防止する幅木の機能が低下する。しかも、幅木は幅木支持部材と共に足場板上に配設されるため、足場板上の作業者の歩行スペースを狭め、安全性の面でも課題が残る。
【０００８】
本発明の目的は、キックプレートを鉛直姿勢にして歩廊用床板の端部近傍部に沿うように配設して、つまりキックプレートと歩廊用床板間の隙間を極力小さくするようにして、キックプレートを手摺用支柱に容易に取り付け可能なキックプレート用取付金具を提供することである。
【課題を解決するための手段】
【０００９】
請求項１のキックプレート用取付金具は、梁部材に支持された歩廊用床板の端部近傍部に沿うように配設されるキックプレートを、梁部材に固定された手摺用支柱に取り付ける為のキックプレート用取付金具において、前記キックプレートを上側から差し込んで鉛直姿勢に保持可能なプレート保持部と、このプレート保持部に一端が固着されて前記手摺用支柱側へ所定長さ延びる本体部とを有するプレート取付体と、前記プレート取付体を前記手摺用支柱に前記プレート保持部と直交する水平な第１方向と、前記手摺用支柱と平行な鉛直な第２方向とに位置調節可能に前記本体部を介して固定解除可能に固定する為の固定機構とを備え、前記固定機構は、前記本体部に前記第１方向へ延びるように形成された水平スリットと、前記手摺用支柱にＵ形部を外嵌させて１対の脚部を前記水平スリットに挿入されたＵボルトと、前記本体部に対して前記手摺用支柱と反対側で前記１対の脚部に螺合される１対のナットとを備えたことを特徴としている。
【００１０】
【００１１】
請求項２の発明は、請求項１の発明において、前記プレート保持部は、キックプレートを挟み込む鉛直な１対の板状部を有し、前記１対の板状部の一方に形成されたネジ孔と、このネジ孔に貫通状に螺合されて前記１対の板状部の他方にキックプレートを押圧可能なボルト部材とを備えたことを特徴としている。
【発明の効果】
【００１２】
請求項１のキックプレート用取付金具によれば、プレート取付体のプレート保持部にキックプレートを上側から差し込んで鉛直姿勢に保持することができ、固定機構により、プレート取付体をプレート保持部と直交する水平な第１方向と、手摺用支柱と平行な鉛直な第２方向とに位置調節して、手摺用支柱にプレート取付体をその本体部を介して固定解除可能に固定することができるので、歩廊用床板や手摺の構造や組立て施工の誤差等によって、手摺用支柱と歩廊用床板間の間隔が変わることがあっても、キックプレートを鉛直姿勢にして歩廊用床板の端部近傍部に沿うように配設して、つまりキックプレートと歩廊用床板間の隙間を極力小さくするようにして、キックプレートを手摺用支柱に容易に取り付け可能になる。
【００１３】
そして、プレート取付体、Ｕボルト、１対のナットを分解した状態で、ＵボルトのＵ形部を手摺用支柱に外嵌させ、Ｕボルトの１対の脚部をプレート取付体の水平スリットに挿入し、Ｕボルトの１対の脚部に１対のナットを螺合させて、プレート取付体を手摺用支柱に連結することができる。１対のナットを弛めてプレート取付体を手摺用支柱から固定解除した状態で、プレート取付体を第１方向と第２方向に位置調節してから、１対のナットを締めてプレート取付体を手摺用支柱に固定することができる。
依って、手摺用支柱へのキックプレート用取付金具の着脱、プレート取付体の固定・固定解除、及び固定解除状態での位置調節が容易になる。
【００１４】
請求項２のキックプレート用取付金具によれば、キックプレートをプレート保持部の１対の板状部に挟み込み、一方の板状部のネジ孔に貫通状に螺合されたボルト部材を締めて、そのボルト部材によりキックプレートを他方の板状部に押圧固定して、プレート保持部にキックプレートを鉛直姿勢に保持することができる。つまり、キックプレートのプレート保持部への取り付け、及びプレート保持部からの取り外しが容易になり、故に、溶接を用いずにキックプレートを手摺用支柱に取り付け可能になる。
【図面の簡単な説明】
【００１５】
【図１】本発明の実施例に係る枠組足場の斜視図である。
【図２】図１のII−II線断面図である。
【図３】図１のＡで示す部分の斜視図である。
【図４】図１のＡで示す部分の反対側からの斜視図である。
【図５】図１のＢで示す部分の反対側からの斜視図である。
【図６】図３のVI−VI線断面図である。
【図７】キックプレート用取付金具の分解斜視図である。
【図８】キックプレート用取付金具の取り付け状態を示す正面図であり、（１）が手摺用支柱と歩廊用床板間の間隔が狭い場合を示し、（２）が同間隔が広い場合を示す。
【図９】従来の枠組足場の斜視図である。
【発明を実施するための形態】
【００１６】
以下、本発明を実施するための形態について実施例に基づいて説明する。
【実施例】
【００１７】
本実施例は、工場や建設現場等で用いられる枠組足場に本発明を適用した場合の一例である。尚、図１に矢印で示す上方、前方、左方を上方、前方、左方として説明する。
【００１８】
図１、図２に示すように、枠組足場１は、複数の梁部材２（例えば、Ｈ型鋼）と、複数の梁部材２に支持された複数の歩廊用床板３（例えば、チェッカープレートやグレーチング）と、枠組足場１の外端側に設けられた手摺４、複数のキックプレート５、及び複数のキックプレート用取付金具６（以下、取付金具６という）等により形成されている。
【００１９】
図１に示す左右２つの梁部材２は前後方向に平行に延び、そのうちの左側の梁部材２が枠組足場１の外端側に位置するものである。複数の歩廊用床板３が前後方向に並設され、これら複数の歩廊用床板３の左右両端部分が、左右２つの梁部材２に支持されて、複数の留具（図示略）や溶接により固定されている。各歩廊用床板３は、例えば、前後長が2000mm、左右長が1800mm、厚さが30mm程度の矩形板状に形成されている。
【００２０】
左側の梁部材２には、その上部フランジ２ａの右側部分に、複数の歩廊用床板３の左端部分が支持され、上部フランジ２ａの左側部分に、手摺４の複数の円筒状（又は円柱状）の支柱４ａ（手摺用支柱４ａ）の下端部が溶接等により固定されている。
【００２１】
複数のキックプレート５は、前後方向へ延びるように直列状に並設されて、左側の梁部材２に支持された歩廊用床板３の左端部近傍部に沿うように梁部材２上に配設され、複数の取付金具６により鉛直姿勢に保持された状態で複数の手摺用支柱４ａに取り付けられている。各キックプレート５は、例えば、前後長が2000mm、上下長が120mm 、厚さが5mm 程度の帯板状に形成されている。
【００２２】
各キックプレート５が、複数（例えば、３つ）の取付金具６により複数（例えば、３つ）の手摺用支柱４ａに取り付けられている。そのうちの第１の取付金具６Ａは、１つのキックプレート５の長さ方向途中部を手摺用支柱４ａに取り付ける為のものであり、第２の取付金具６Ｂは、２つのキックプレート５の継ぎ目部分に使用され、その継ぎ目部分となる２つのキックプレート５の両端部分を手摺用支柱４ａに取り付ける為のものである。
【００２３】
次に、取付金具６について詳しく説明する。
尚、前記第１，第２の取付金具６Ａ，６Ｂについては、後述のプレート固定機構１５Ａ，１５Ｂが異なる構成になるが、それ以外は同じ構成であり、同一の構成については同一符号を付し、取付金具６として説明する。
【００２４】
図２〜図７に示すように、取付金具６は、キックプレート５を上側から差し込んで鉛直姿勢に保持可能なプレート保持部１１と、このプレート保持部１１に右端が固着されて左側（手摺用支柱４ａ側）へ所定長さ延びる本体部１２とを有するプレート取付体１０と、プレート取付体１０を手摺用支柱４ａに左右方向（プレート保持部１１と直交する水平な第１方向）と、上下方向（手摺用支柱４ａと平行な鉛直な第２方向）とに位置調節可能に本体部１２を介して固定解除可能に固定する為の固定機構２０とを備えている。
【００２５】
プレート保持部１１は、キックプレート５を挟み込む鉛直な左右１対の板状部１１ａ，１１ｂと、これら１対の板状部１１ａ，１１ｂに挟み込まれたキックプレート５を載置状に支持する底部１１ｃとを有し、その下面（底部１１ｃの下面）が梁部材２の上部フランジ２ａに載置されている。
【００２６】
１対の板状部１１ａ，１１ｂは、側面視矩形状に形成され、キックプレート５の厚さよりも少し広い間隔を空けて対向状に配置され、挟み込んだキックプレート５の上端よりも少し低い高さに形成されている。尚、挟み込んだキックプレート５の上端と略同じ高さに、或いはそれよりも高い高さに形成されてもよい。
【００２７】
プレート保持部１１には、１対の板状部１１ａ，１１ｂに挟み込まれたキックプレート５を固定解除可能に固定するプレート固定機構１５が設けられ、そのプレート固定機構１５は、左側の板状部１１ａの上部に形成されたネジ孔１６と、このネジ孔１６に貫通状に螺合されて右側の板状部１１ｂにキックプレート５を押圧可能なボルト部材１７とを備えている。
【００２８】
ここで、第１の取付金具６Ａの固定機構１５Ａは、左側の板状部１１ａの上部の前後方向中央部に形成された１つのネジ孔１６と、このネジ孔１６に対応する１つのボルト部材１７とを有し、一方、第２の取付金具６Ｂの固定機構１５Ｂは、左側の板状部１１ａの上部に前後方向に適当な間隔を空けて形成された１対のネジ孔１６と、これらネジ孔１６に対応する２つボルト部材１７とを有する。
【００２９】
特に、第２の取付金具６Ｂにおいては、プレート保持部１１に、継ぎ目部分となる２つのキックプレート５の両端部分を前後方向に重ね合わせることなく、１対の板状部１１ａ，１１ｂに挟み込むようにして保持可能であり、前側のボルト部材１７により前側のキックプレート５の後端部分が、また、後側のボルト部材１７により後側のキックプレート５の前端部分が夫々右側の板状部１１ｂに押圧固定される。
【００３０】
この第２の取付金具６Ｂのプレート保持部１１において、継ぎ目部分となる２つのキックプレート５の両端部分間に隙間が生じても、その隙間の大部分を板状部１１ａ，１１ｂがカバーして、その２つのキックプレート５をプレート保持部１１を介して連結することができる。
【００３１】
本体部１２は左右方向に長い鉛直の矩形板状に形成され、その右端部がプレート保持部１１の左側の板状部１１ａの下部（前後方向中央部の左面）に溶接等により固着され、その下面が梁部材２の上部フランジ２ａに載置されている。
【００３２】
固定機構２０は、本体部１２に左右方向へ延びるように形成された水平スリット２１と、手摺用支柱４ａにＵ形部２２ａを外嵌させて１対の脚部２２ｂを水平スリット２１に挿入されたＵボルト２２と、本体部１２に対して手摺用支柱４ａと反対側で１対の脚部２２ｂに螺合される１対のナット２３とを備えている。
【００３３】
この固定機構２０において、ナット２３が弛められ、プレート取付体１０が手摺用支柱４ａから固定解除された状態で、プレート取付体１０がＵボルト２２及びナット２３と共に手摺用支柱４ａに沿って上下方向へ移動可能になり、また、プレート取付体１０が水平スリット２１によりＵボルト２２に対して左右方向へ移動可能になるので、プレート取付体１０を上下方向と左右方向に位置調節可能になる。
【００３４】
次に、手摺用支柱４ａへの取付金具６の取り付け、及び取付金具６の取り付け後のキックプレート５の取り付けについて説明する。
【００３５】
取付金具６については、プレート取付体１０、Ｕボルト２２、１対のナット２３を分解した状態で、プレート取付体１０をその水平スリット２１が手摺用支柱４ａに近接するように位置させる一方、Ｕボルト２２のＵ形部２２ａを手摺用支柱４ａに外嵌させ、Ｕボルト２２の１対の脚部２２ｂを水平スリット２１に挿入し、１対のナット２３をＵボルト２２の１対の脚部２２ｂに螺合させて、取付金具６を手摺用支柱４ａに連結する。
【００３６】
そして、１対のナット２３を弛めてプレート取付体１０を手摺用支柱４ａから固定解除した状態で、プレート取付体１０（プレート保持部１１、本体部１２）が梁部材２の上部フランジ２ａに載置されるように、プレート取付体１０を上下方向に位置調節するとともに、プレート取付体１０のプレート保持部１１が梁部材２に支持された歩廊用床板３の左端部に当接（近接）するように、プレート取付体１０を左右方向に位置調節する。
【００３７】
このように、取付金具６を手摺用支柱４ａに連結し、プレート取付体１０を位置調節してから、１対のナット２３を締めてプレート取付体１０を手摺用支柱４ａに固定して、取付金具６を手摺用支柱４ａに取り付ける。他の複数の取付金具６についても、同様に、複数の手摺用支柱４ａに夫々取り付けて、複数の取付金具６のプレート保持部１１が前後方向に一直線上に並ぶようにしておく。
【００３８】
次に、第１の取付金具６Ａにおいては、キックプレート５の長さ方向途中部をプレート保持部１１に上側から差し込み、つまり１対の板状部１１ａ，１１ｂに挟み込み、その後、固定機構１５Ａにより、板状部１１ａのネジ孔１６に貫通状に螺合されたボルト部材１７を締めると、このボルト部材１７によりキックプレート５の長さ方向途中部が板状部１１ｂに押圧固定される。
【００３９】
第２の取付金具６Ｂにおいては、キックプレート５の一端部分を、同様に、プレート保持部１１に上側から差し込み、つまり１対の板状部１１ａ，１１ｂに挟み込み、その後、固定機構１５Ｂにより、板状部１１ａの対応する１つのネジ孔１６に貫通状に螺合されたボルト部材１７を締めると、このボルト部材１７によりキックプレート５の一端部分が板状部１１ｂに押圧固定される。
【００４０】
こうして、キックプレート５が、梁部材２に支持された歩廊用床板３の左端部近傍部に沿うように配設されて、プレート保持部１１に保持され、プレート保持部１１を介して梁部材２に支持された状態で、手摺用支柱４ａに取り付けられる。
【００４１】
枠組足場１の解体や、キックプレート５の損傷等による取り換えにあたっては、対応する各取付金具６のボルト部材１７を弛め、キックプレート５をプレート保持部１１から上側へ引き抜くことで、取り外すことができる。
【００４２】
この取付金具６によれば、次の作用・効果を奏する。
取付金具６のプレート取付体１０（プレート保持部１１、本体部１２）、固定機構２０により、歩廊用床板３や手摺４の構造や組立て施工の誤差等によって、手摺用支柱４ａと歩廊用床板３間の間隔が変わることがあっても、キックプレート５を鉛直姿勢にして歩廊用床板３の左端部近傍部に沿うように、つまり歩廊用床板３の左端部との間の隙間を極力小さくするように配設して、キックプレート５を手摺用支柱４ａに容易に取り付けることが可能になる。
【００４３】
例えば、図８（１）は、手摺用支柱４ａの下端部が梁部材２上に立設状に固定されたもの（前記実施例に開示）を示し、図８（２）は、手摺用支柱４ａが梁部材２よりも外側に配設されて、梁部材２に固定されたものを示し、この（１）（２）では、手摺用支柱４ａと歩廊用床板３間の間隔が異なるが、この（１）（２）の何れにも取付金具６を採用して、キックプレート５を鉛直姿勢にして歩廊用床板３の端部近傍部に沿うように配設して、手摺用支柱４ａに取り付けることが可能になる。
【００４４】
しかも、固定機構２０の水平スリット２１、Ｕボルト２２、１対のナット２３により、手摺用支柱４ａへの取付金具６の着脱、プレート取付体１０の固定・固定解除、及び固定解除状態での位置調節が容易になり、更に、プレート保持部１１の１対の板状部１１ａ，１１ｂ、プレート固定機構１５（ネジ孔１６、ボルト部材１７）により、キックプレート５のプレート保持部１１への取り付け、及びプレート保持部１１からの取り外しが容易になり、故に、溶接を用いずにキックプレート５を手摺用支柱４ａに取り付け可能になる。
【００４５】
つまり、従来の図９のような枠組足場と比べると、キックプレート５と歩廊用床板３との間に比較的大きな隙間が生じること、キックプレート５を含む枠組足場１の組立／解体の作業負荷が大きくなること、キックプレート５が溶接変形する虞があること、キックプレート５の損傷等による取り換えに手間がかかること、等の問題を改善できる。
【００４６】
そして、キックプレート５の取り付け位置が変わっても、キックプレート５は鉛直姿勢で取り付けられるため、歩廊用床板３から作業者が転落したり工具等の部品が落下したりするのを防止するキックプレート５の機能を十分に実現し、また、キックプレート５及び取付金具６は、歩廊用床板３上ではなく、梁部材２上に配設されるので、歩廊用床板３上の作業者の歩行スペースを狭めることもない。
【００４７】
尚、本発明の趣旨を逸脱しない範囲において、前記実施例に種々の変更を付加して実施可能である。例えば、プレート取付体１０のプレート保持部１１と本体部１２のサイズや形状、また、水平スリット２１の長さ等について、適宜変更可能である。
【符号の説明】
【００４８】
１  枠組足場
２  梁部材
３  歩廊用床板
４ａ  手摺用支柱
５  キックプレート
６  キックプレート用取付金具
１０  プレート取付体
１１  プレート保持部
１１ａ，１１ｂ  板状部
１２  本体部
１５  プレート固定機構
１６  ネジ孔
１７  ボルト部材
２０  固定機構
２１  水平スリット
２２  Ｕボルト
２２ａ  Ｕ形部
２２ｂ  脚部
２３  ナット
【図１】
0006695152.tif 000002
【図２】
0006695152.tif 000003
【図３】
0006695152.tif 000004
【図４】
0006695152.tif 000005
【図５】
0006695152.tif 000006
【図６】
0006695152.tif 000007
【図７】
0006695152.tif 000008
【図８】
0006695152.tif 000009
【図９】
0006695152.tif 000010